(57)【特許請求の範囲】
【請求項１】
基台にロール状の帯状フィルムを引出し自在に載置し、引き出した前記フィルムをヒータ線の加熱によるカッターで熱溶融することによって切断するストレッチフィルム包装装置において、
前記カッターは、長形の金属板を基台の幅方向に沿って前記帯状フィルムをロール状に巻き取ったロール側に折り曲げることによって上端が直線を成し、且つ該折り曲げることにより隙間を形成する構造とし、該折り曲げた側の両端を切り欠き、
該カッターの一端には固定子が固設され、他端には回転子が該カッターに固設された支持軸に回動自在に設けられ、
前記カッターの折り曲げた側の両端の切り欠きは前記固定子と回転子を設けるスペースとし、
前記固定子と回転子には夫々貫通孔が設けられ、該夫々の貫通孔にはヒータ線が挿通されて固定され、
該ヒータ線が前記カッターに形成された隙間に挿通されることによって該固定子と回転子との間を張り渡され、
前記ヒータ線の一端を固定した回転子は、側部に係止片を有し、該係止片に一端を固定した戻しバネを設け、該戻しバネの他端を前記カッターに設けられた引掛片に固定すると共に、該回転子には突出片が設けられ、
前記ヒータ線を前記固定子と回転子との間に張り渡した状態の場合には、前記戻しバネの引張力は前記固定子と回転子との間にヒータ線を張り渡した状態を維持し、且つ該突出片が前記カッターの板上に設けられたマイクロスイッチのスイッチ片に当接してマイクロスイッチが閉じた状態となりヒータ線が導通状態を維持し、
前記ヒータ線が前記固定子と回転子との間で切線された場合には、該回転子が戻しバネのバネ力によって引張り方向に回転し、前記係止片が前記カッターに設けられたストッパに当接することによって回転子の回転が停止され、且つ該マイクロスイッチが開かれて電源が切られる
ことを特徴とするストレッチフィルム包装装置。
【発明の詳細な説明】
【０００１】
【発明の属する技術分野】
本発明は、惣菜等の食品を入れた容器や果物や野菜等を所定位置で熱切断したストレッチフィルムで包み込んでその底部を溶着するようにしたストレッチフィルム包装装置に関する。
【０００２】
【従来の技術】
容器に入れた惣菜、魚、野菜、おにぎり等の食品、または野菜や果物等を容器に入れずにストレッチフィルムで包み込んで包装するようにしたストレッチフィルム包装装置が開発され、使用されるようになっている。
【０００３】
このストレッチフィルム包装装置は、外観的には図１のように構成されており、装置の筺体をなす基台１にロール状の帯状フィルム２を引出し自在に載置し、この帯状フィルム２を引き出しながら包装品を包み込むと共に、所望の長さに切断したフィルム２の四方を包装品の底面に回し込んで、基体１の前方に設けられたヒータ台３の熱板５に当てることによって熱溶着により接着するものである。
【０００４】
【発明が解決しようとする課題】
ところで、上記のように帯状フィルムを所定位置で切断するために用いられるカッターには、ニクロム線やタングステン線等によるヒータ線が用いられ、このヒータ線をカッターの内部に収納するか、ヒータ線をむき出しに使用する。
【０００５】
いずれにしてもニクロム線やタングステン線等によるヒータ線は、熱によって酸化が進むために切線したり、ヒータ線に直接フィルムを当てて切断する際の荷重によって切線することがある。
【０００６】
ところが、切線したヒータ線を交換する際、装置のスイッチを切り忘れたり、コンセントを抜かないで交換した場合には、ヒータ線の取り替えと同時に電気が入り、ヒータ線が加熱される結果、火傷をする場合がある。
【０００７】
また、ヒータ線が切線したまま放置しておくと、ヒータ線が短絡することがあり、これによってヒータ線が加熱されたり、回路に負担がかかって熱が発生し、火災の原因になることがある。
【０００８】
本発明は、上記の事情に鑑みてなされたもので、惣菜等の食品を入れた容器や果物や野菜等をストレッチフィルムで包み込んでその底部を溶着する際に用いるフィルム切断用のヒータ線が切線した場合に、その交換の安全性を確保して火傷や火災の原因を防止するようにしたストレッチフィルム包装装置を提供することを目的とする。
【０００９】
【課題を解決するための手段】
上記の課題を解決するために、本発明の請求項１のストレッチフィルム包装装置は、基台にロール状の帯状フィルムを引出し自在に載置し、引き出した前記フィルムをヒータ線の加熱によるカッターで熱溶融することによって切断するストレッチフィルム包装装置において、
前記カッターは、長形の金属板を基台の幅方向に沿って前記帯状フィルムをロール状に巻き取ったロール側に折り曲げることによって上端が直線を成し、且つ該折り曲げることにより隙間を形成する構造とし、該折り曲げた側の両端を切り欠き、
該カッターの一端には固定子が固設され、他端には回転子が該カッターに固設された支持軸に回動自在に設けられ、
前記カッターの折り曲げた側の両端の切り欠きは前記固定子と回転子を設けるスペースとし、
前記固定子と回転子には夫々貫通孔が設けられ、該夫々の貫通孔にはヒータ線が挿通されて固定され、
該ヒータ線が前記カッターに形成された隙間に挿通されることによって該固定子と回転子との間を張り渡され、
前記ヒータ線の一端を固定した回転子は、側部に係止片を有し、該係止片に一端を固定した戻しバネを設け、該戻しバネの他端を前記カッターに設けられた引掛片に固定すると共に、該回転子には突出片が設けられ、
前記ヒータ線を前記固定子と回転子との間に張り渡した状態の場合には、前記戻しバネの引張力は前記固定子と回転子との間にヒータ線を張り渡した状態を維持し、且つ該突出片が前記カッターの板上に設けられたマイクロスイッチのスイッチ片に当接してマイクロスイッチが閉じた状態となりヒータ線が導通状態を維持し、
前記ヒータ線が前記固定子と回転子との間で切線された場合には、該回転子が戻しバネのバネ力によって引張り方向に回転し、前記係止片が前記カッターに設けられたストッパに当接することによって回転子の回転が停止され、且つ該マイクロスイッチが開かれて電源が切られる、ことを特徴とする。
【００１１】
【発明の実施の形態】
以下、本発明の実施例について図面を参照しながら説明する。
【００１２】
本発明のストレッチフィルム包装装置は、図１、２に示すように、基台１の側板１ａ、１ａ間の後部幅方向に一対のローラ９、９が回動自在に軸支され、これらのローラ９、９間に帯状フィルム２のロール１２を載置すると、ロール１２は回動自在となってフィルム２の引き出しを自由に行うことができる。
【００１３】
一対のローラ９、９の前方には基台１の幅方向に作業台１３が設けられ、基台１の側板１ａ、１ａの支持軸１３ａ、１３ａで支持されることにより、上方に開くことができる。この作業台１３の閉じた状態をロックする部材として基台１の両側板１ａ、１ａの夫々に係止片１４、１４が軸１４ｃ、１４ｃで回動自在に設けられ、各係止片１４をその端部に設けたコイルバネ１４ｄでロック方向に引張ることによって、係止片１４の上部に形成された頂片１４ａが閉じた状態の作業台１３の前縁を係止してロックする。
【００１４】
作業台１３の両端下部から前方に張出し固定された支軸片１５ａ、１５ａ間には後方ローラ１５が回動自在に軸支され、その前方には、基台１の両側板１ａ、１ａ間に折曲板１７の両端の起立片１７ｂ、１７ｂが支軸片１６ａ、１６ａで回動自在に係止されている。
【００１５】
この折曲片１７の前方には折曲形状によるウェイタ１７ａが形成されている。また、折曲板１７の両端の支軸片１６ａ、１６ａを基台１の両側板１ａ、１ａに回動自在に軸支すると共に、該折曲板１７を後方に引張るコイルバネ１６ｂを設けることによって、前方ローラ１６は後方ローラ１５に密接するように付勢され、ロール１２から引き出されたフィルム２を前方ローラ１６と後方ローラ１５との間に挟んだ状態に維持することができる。
【００１６】
上記のように前方ローラ１６と後方ローラ１５に挟まれたフィルム２を前方に引き出すと、前方ローラ１６が前側に付勢されることによって、折曲板１７のウエイター１７ａがその重量によって前傾方向へ回動し、これによって前方ローラ１６が後方ローラ１５から離間してフィルム２を無理なく引出すことができる。
【００１７】
さらに、折曲板１７の前縁付近には斜傾板１９を基台１の側板１ａ、１ａ間の全幅に亙って固設すると共に、斜傾板１９の上方には側板１ａ、１ａ間に亙ってカッター支持板２２が固設され、該カッター支持板２２にカッター４が固設されている。
【００１８】
カッター４は、図３、４に示すように、長形の金属板を基体１の幅方向に沿って後側に折り曲げることによって上端が直線を成す構造とし、折り曲げた側の両端を切り欠くこと（切欠４ａ）によって固定子６と回転子７を設けるスペースとしている。即ち、カッター４の一端には固定子６が固設され、他端には回転子７が回動自在に設けられている。なお、回転子７はカッター４に固設された支持軸２６（図５参照）に回動自在に設けられている。
【００１９】
これらの固定子６と回転子７には貫通孔６ａ、７ａが設けられ、夫々の貫通孔６ａ、７ａにはニクロム線やタングステン線等によるヒータ線８が挿通されて固定され、該ヒータ線８が上記のカッター４を折り曲げたことによる隙間４ｂに挿通されることによって固定子６と回転子７との間に張り渡されている。
【００２０】
ヒータ線８の一端を固定した回転子７は、図４、５に示すように、側部に係止片７ｂを有し、該係止片７ｂに一端を固定した戻しバネ２１の他端をカッター４の板上に設けられた引掛片２３に固定してある。
【００２１】
戻しバネ２１の引張力は上記のように固定子６と回転子７との間にヒータ線８を張り渡した状態を維持し得るものであるが、後述するようにヒータ線８が切線したとき、回転子７は戻しバネ２１のバネ力によって引張り方向に回転する。
【００２２】
ただし、回転子７の周囲には該回転子７の回転を途中で停止するストッパ２４が設けられ、上記の係止片７ｂがストッパ２４に当たることによって回転子７の回転が停止される。
【００２３】
さらに、回転子７には突出片７ｃが設けられ、該突出片７ｃにはカッター４の板上に設けられたマイクロスイッチ１１のスイッチ片１１ａが当接された状態で閉じられ、固定子６と回転子７との間に張り渡したヒータ線８が切線して回転子７が回転したとき、マイクロスイッチ１１が開かれて電源が切られ、ヒータ線８が非導通状態となる。
【００２４】
なお、カッター４の上端は折曲板１７の最上面よりやや上方に突出してある。このカッター４の前側近傍では斜傾板１９が上方に折曲されたことによってカッター４の前方側面に添う保護板１９ａとしてある。
【００２５】
図６、７、８、９に示す電源回路において、ＡＣ１００Ｖの電源にはスイッチ１８を介してヒータ線８が接続され、ヒータ線８はパイロットランプ２５を並列に接続すると共に、マイクロスイッチ１１の閉（ＮＣ）側にパワーリレーＰＲを介して接続されている。また、電源にはパワーリレーＰＲ、ＰＲとリセットスイッチ２０とが接続され、このパワーリレーＰＲ、ＰＲ間にマイクロスイッチ１１の開（ＮＯ）側が接続されている。
【００２６】
このような回路を本実施例のカッター４におけるヒータ線８の電源回路として構成すると、ヒータ線８の正常状態（図６参照）においては、上記の回転子７がマイクロスイッチ１１の閉（ＮＣ）側に接続され、リセットスイッチ２０は閉じられた状態にある。
【００２７】
そして、ヒータ線８の切線状態（図７参照）においては、戻しバネ２１のバネ力によって回転子７が回転すると、マイクロスイッチ１１が開（ＮＯ）側に作動してヒータ線８は非導通状態となり、リセットスイッチ２０は閉じて保持回路は作動状態となる。
【００２８】
ヒータ線８を交換すると（図８参照）、回転子７が復帰して、マイクロスイッチ１１が閉（ＮＣ）側に接続されるが、リセットスイッチ２０は閉じた状態で保持回路は作動状態を保ち、ヒータ線８への通電は行われない。
【００２９】
ここで、リセットスイッチ２０を押すことによって（図９参照）、保持回路が解放され、図６の正常状態に復帰して、ヒータ線８への通電が行われる。
【００３０】
さらに、本実施例のストレッチフィルム包装装置においては、斜傾板１９の前側、即ち帯状フィルム２を引出す手前側にヒータ台３が設けられている。このヒータ台３の上面には熱板５が設けられ、熱板５に内蔵されたヒータ線（不図示）によって加熱される。
【００３１】
以上のように構成されたストレッチフィルム包装装置を使用して包装品１０をフィルム２で包装するには、カッター４のヒータ線８及び熱板５のヒータ線に電流を流し、後方ローラ１５と前方ローラ１６間から引き出したフィルム２の先端を作業台１３上に引き伸ばし、該作業台１３上にて包装品１０（図１０参照）の前後方向に生じさせたフィルム２の余長で包装品１０の底面に密着させると共に、フィルム２を適当な位置でカッター４に当てて熱切断する。
【００３２】
次いで、包装品１０の左右に生じたフィルム２の余長を包装品１０の底面に回して、図１０に示すように、フィルム２の四方の端部が包装品１０の底面で重なり合うようにする。
【００３３】
そして、包装品１０の底面を熱板５に押し当てると、包装品１０の底面の両端におけるフィルム２の重なり部２ａ、２ａが熱溶着によって付着する。
【００３４】
【発明の効果】
以上説明したように、本発明のストレッチフィルム包装装置においては、カッターに内蔵されたヒータ線の一端が固定子に結合される一方、該ヒータ線の他端が結合された回転子はヒータ線の正常状態でマイクロスイッチを閉じた導通状態を維持し、ヒータ線が切線すると回転子に設けられた戻しバネの引張力によって該回転子が回転し、マイクロスイッチを開いて非導通状態とすることができるため、ヒータ線が切線した場合に、その交換の安全性を確保して火傷や火災の原因を防止することが可能となる。
【００３５】
また、ヒータ線への電源回路にはリセットスイッチが設けられ、ヒータ線が切線してマイクロスイッチが開くことによってリセットスイッチが開き、ヒータ線の修復に伴い回転子を復帰することによってマイクロスイッチを閉じても、リセットスイッチをセットしなければ、ヒータ線が導通状態とならないようにしたことによって、ヒータ線の交換時の火傷の原因を解消することができる。
【図面の簡単な説明】
【図１】本発明によるストレッチフィルム包装装置の全体斜視図である。
【図２】図１の装置のＡ−Ａ線断面図である。
【図３】図１の装置のＢ−Ｂ線断面図である。
【図４】本発明によるストレッチフィルム包装装置のカッターの正面図である。
【図５】本発明によるストレッチフィルム包装装置のカッターに設けられたヒータ線の回転子と固定子を示す図である。
【図６】本発明によるストレッチフィルム包装装置のカッターに設けられたヒータ線の正常状態における電源回路である。
【図７】本発明によるストレッチフィルム包装装置のカッターに設けられたヒータ線の切線状態における電源回路である。
【図８】本発明によるストレッチフィルム包装装置のカッターに設けられたヒータ線が修復された状態における電源回路である。
【図９】本発明によるストレッチフィルム包装装置のカッターに設けられたヒータ線の修復後にリセットスイッチを押した状態の電源回路である。
【図１０】ストレッチフィルムを被せた包装品の底面状況を示す図である。
【符号の説明】
１…基台
１ａ…側板
２…帯状フィルム
３…ヒータ台
４…カッター
４ａ…切欠
５…熱板
６…固定子
７…回転子
７ｂ…係止片
７ｃ…突出片
８…ヒータ線
９…ローラ
１０…包装品
１１…マイクロスイッチ
１１ａ…スイッチ片
１２…ロール
１３…作業台
１４…係止片
１４ｂ…コイルバネ
１５…後方ローラ
１６…前方ローラ
１６ｃ…コイルバネ
１７…折曲板
１７ｂ…起立片
１７ａ…ウェイタ
１９…斜傾板
１９ａ…保護板
２０…リセットスイッチ
２１…戻しバネ
２２…カッター支持板
２３…引掛片
２４…ストッパ
２５…パイロットランプ
【図１】
0004042091.tif 000002
【図２】
0004042091.tif 000003
【図３】
0004042091.tif 000004
【図４】
0004042091.tif 000005
【図５】
0004042091.tif 000006
【図６】
0004042091.tif 000007
【図７】
0004042091.tif 000008
【図８】
0004042091.tif 000009
【図９】
0004042091.tif 000010
【図１０】
0004042091.tif 000011